(57)【要約】      （修正有）【課題】携帯性を考慮した付箋紙および当該付箋紙が収容された名刺入れを提供する。【解決手段】付箋紙は、紙片集合体１２０が台紙１１０に接着されて構成される。紙片集合体１２０は、紙片１２１を複数重ね合わせて構成される。紙片は一方の面の一部に接着部が設けられている。台紙は、紙片よりも可撓性が低い。また台紙は紙片集合体が接着された支持領域１１１と、支持領域１１１と連続して形成される挿入領域１１２とを有する。挿入領域１１２は、支持領域１１１との境界において、支持領域１１１に対し、紙片集合体１２０の接着面の反対面側に折り曲げ可能とされている。【選択図】図１
0003170652.tif 000002
【実用新案登録請求の範囲】
【請求項１】
一方の面の一部に接着部が設けられた紙片を複数重ね合わせてなる紙片集合体が台紙に接着されてなる付箋紙であって、
前記台紙は、前記紙片よりも可撓性が低く、かつ前記紙片集合体が接着された支持部と、該支持部と連続して形成される挿入部と、を有し、
前記挿入部は、前記支持部との境界において、前記支持部に対して前記紙片集合体の接着面の反対面側に折り曲げ可能とされていることを特徴とする付箋紙。
【請求項２】
前記紙片の前記一方の面は矩形状であり、
前記接着部は、当該矩形状の面の第１の辺に沿って設けられ、
前記紙片には、前記第１の辺からこれに対向する第２の辺まで至るミシン目が少なくとも１つ形成されている、
ことを特徴とする請求項１に記載の付箋紙。
【請求項３】
前記挿入領域は、名刺とほぼ同じ寸法である
ことを特徴とする請求項１に記載の付箋紙。
【請求項４】
前記挿入領域は長方形の形状であり、長辺が８６ｍｍ乃至９６ｍｍであって、かつ短辺が５０ｍｍ乃至６０ｍｍである
ことを特徴とする請求項３に記載の付箋紙。
【請求項５】
前記挿入領域は長方形の形状であり、長辺が３．３ｉｎｃｈ乃至３．７ｉｎｃｈであって、かつ短辺が１．８ｉｎｃｈ乃至２．２ｉｎｃｈである
ことを特徴とする請求項３に記載の付箋紙。
【請求項６】
請求項１から５のいずれか一項に記載の付箋紙と、
前記挿入部を挿入可能な第１ポケットと、
名刺を収納可能な第２ポケットと、を有することを特徴とする名刺入れ。
【考案の詳細な説明】
【技術分野】
【０００１】
本考案は、付箋紙および名刺入れに関するものである。
【背景技術】
【０００２】
従来、メモ用紙、しおりや不審紙として付箋紙が用いられてきた。付箋紙は例えば方形の紙片であって、その一面の端縁に沿って接着剤が設けられている。この接着剤が設けられた付箋紙は、書物や机上に貼付される。
【０００３】
また付箋紙における接着剤として、接着力が調整されているものが用いられることがある。接着剤の接着力を調整することにより、付箋紙を貼付対象から剥がしたとき、貼付対象を傷つけないようにすることができる。またこの調整により、一旦剥がされた付箋紙を貼付することができる。
【０００４】
また、付箋紙にはさまざまなサイズがある。例えば、書類のしおりとしての用途を前提とした付箋紙より、メモ用紙としての書込みスペースが大きくとられた付箋紙の方が大型である。
【０００５】
一般的にこれらの付箋紙は、同じサイズのものが複数重ね合わせられ、接着部分を介して一束にまとめられている。ユーザは、この一束にまとめられた付箋紙を１枚ずつ剥がして、貼付対象に貼りつけて使用する。
【先行技術文献】
【特許文献】
【０００６】
【特許文献１】特開２００２−３２１４６９号公報
【考案の概要】
【考案が解決しようとする課題】
【０００７】
上述のように付箋紙は、複数枚重ね合わせられ、一束にまとめられているのが通常である。この付箋紙は、メモ用紙、しおりや不審紙として用いられることが多いため、例えば書籍や手帳を携帯するユーザにとっては、付箋紙も携帯したいという要望がある。
【０００８】
しかし、付箋紙の束を例えばかばんに入れて携帯している場合、付箋紙のサイズによっては付箋紙の束が見つかりにくい場合がある。また、付箋紙の接着剤は接着力が弱い場合があり、携帯しているうちに付箋紙の束が分離してしまい、ばらばらになってしまうおそれがあった。また付箋紙が汚れることもあった。
【０００９】
そこで本考案は、携帯性を考慮した付箋紙および当該付箋紙が収容された名刺入れを提供することを目的とする。
【課題を解決するための手段】
【００１０】
本考案の一形態は、一方の面の一部に接着部が設けられた紙片を複数重ね合わせてなる紙片集合体が台紙に接着されてなる付箋紙であって、前記台紙は、前記紙片よりも可撓性が低く、かつ前記紙片集合体が接着された支持部と、該支持部と連続して形成される挿入部と、を有し、前記挿入部は、前記支持部との境界において、前記支持部に対して前記紙片集合体の接着面の反対面側に折り曲げ可能とされていることを特徴とする付箋紙である。
【考案の効果】
【００１１】
上記考案の一形態によれば、紙片集合体を貼りつける台紙において、貼りつける支持領域の他、支持領域と連続する挿入領域を設けた。したがって、例えば名刺やカードなどを収納できるポケットを有する名刺入れや手帳に対し、台紙の挿入領域を差し込んで収納することができる。これにより、付箋紙を名刺入れや手帳とともに携帯することができる。その結果、付箋紙が見つかりにくい状況や、付箋紙がバラバラになってしまう事態を回避することができ、付箋紙の携帯性の向上を図ることが可能となる。
【図面の簡単な説明】
【００１２】
【図１】第１実施形態にかかる冊子状付箋を示す概略斜視図である。
【図２】第１実施形態にかかる紙片集合体を構成する各紙片の一面を示す概略底面図である。
【図３】第１実施形態にかかる冊子状付箋の台紙を示す概略斜視図である。
【図４】第１実施形態にかかる冊子状付箋の台紙の他の例を示す概略斜視図である。
【図５】第１実施形態にかかる冊子状付箋の側面図である。
【図６】第１実施形態にかかる冊子状付箋が名刺入れに差し挟まれた状態を示す概略斜視図である。
【図７】第１実施形態の変形例にかかる冊子状付箋の側面図である。
【図８】第２実施形態にかかる冊子状付箋を示す概略斜視図である。
【図９】第２実施形態にかかる冊子状付箋の他の例を示す概略斜視図である。
【図１０】第２実施形態にかかる冊子状付箋の他の例を示す概略平面図である。
【図１１】図１０の概略拡大Ａ−Ａ’断面図である。
【図１２】図１０の概略拡大Ｂ−Ｂ’断面図である。
【図１３】第２実施形態にかかる冊子状付箋の他の例を示す概略斜視図である。
【図１４】第２実施形態にかかる冊子状付箋が名刺入れに差し挟まれた状態を示す概略斜視図である。
【考案を実施するための形態】
【００１３】
以下、図面を参照しながら本考案にかかる付箋紙および名刺入れの実施形態について説明する。
【００１４】
［第１実施形態］
（全体構成）
第１実施形態にかかる冊子状付箋１００の全体構成の概略について図１を参照して説明する。図１は、第１実施形態にかかる冊子状付箋１００の概略構成を示す概略斜視図である。なお、図１の冊子状付箋１００における紙片集合体１２０は概念的に示されたものである。紙片集合体１２０において重畳される紙片１２１の数は、任意に設定することが可能である。
【００１５】
図１に示すように、冊子状付箋１００は、２つに折り曲げられた台紙１１０と、当該台紙１１０に支持される紙片集合体１２０とを含んで構成される。台紙１１０は、台紙１１０における折り曲げ部分を境界として、一方側が紙片集合体１２０を支持する支持領域１１１であり、他方側は例えば、名刺入れの収納ポケット等に挿入される挿入領域１１２である。冊子状付箋１００は、台紙１１０の挿入領域１１２を、名刺入れや手帳における収納ポケットに挿入することにより、名刺入れや手帳に差し挟んで名刺入れや手帳と一体に携帯することが可能である。
【００１６】
（各部の構成）
次に、冊子状付箋１００の各部の構成について図１〜図４を参照して説明する。図２は、第１実施形態にかかる紙片集合体１２０を構成する各紙片１２１の一面を示す概略底面図である。
【００１７】
〈紙片集合体１２０、紙片１２１〉
図１に示すように紙片集合体１２０は、紙片１２１を複数重ね合わせて構成される。この実施形態における各紙片１２１は、図２に示すように長方形（矩形）に形成されている。例えば冊子状付箋１００が、一般的な名刺入れに差し挟まれて携帯されることを前提としている場合は、紙片１２１のサイズを次のように構成することが可能である。
【００１８】
１つの例として紙片１２１のサイズを、日本においてよく使用されている名刺サイズ（４号（大阪９号）名刺）に対応させることが考えられる。すなわち、長方形の紙片１２１の長辺を９１ｍｍとし、短辺を５５ｍｍとする。なお、名刺入れは、通常、収納する名刺のサイズよりも若干大型に形成されている。したがって、冊子状付箋１００の全体を一般的な名刺よりやや大きいサイズに形成することが可能である。
【００１９】
ただし、付箋紙（各紙片１２１）の状態維持や保管の観点から、名刺入れ等に差し挟まれた冊子状付箋１００は、その外縁が、名刺入れ等からはみ出ないような大きさである方が好ましい。また、ひるがえって付箋紙をメモ用紙として使用する観点からは、付箋紙の書込み可能な面積はなるべく大きいほうが好ましい場合がある。したがってこれらの観点から、紙片１２１の長辺および短辺の長さは、上記一般的な名刺のサイズの±５ｍｍ程度に設定することが可能である。すなわち、紙片１２１において、長辺を８６ｍｍ乃至９６ｍｍと設定し、かつ短辺を５０ｍｍ乃至６０ｍｍと設定することが可能である。
【００２０】
また、紙片１２１の他の例として紙片１２１のサイズを、欧米においてよく使用されている名刺サイズ（欧米標準名刺）に対応させることが考えられる。すなわち、長方形の紙片１２１の長辺を３．５ｉｎｃｈとし、短辺を２ｉｎｃｈとする。なお、上記日本の標準的な名刺の場合と同様に、冊子状付箋１００の全体を欧米標準の名刺よりやや大きいサイズに形成することが可能である。
【００２１】
ただし、この例においても付箋紙の状態維持や保管の観点と、書込み面積の確保の観点から、紙片１２１の長辺および短辺の長さは、上述の欧米標準の名刺のサイズの±０．２ｉｎｃｈ程度に設定することが可能である。すなわち、紙片１２１において、長辺を３．３ｉｎｃｈ乃至３．７ｉｎｃｈと設定し、かつ短辺を１．８ｉｎｃｈ乃至２．２ｉｎｃｈと設定することが可能である。
【００２２】
なお、上述の紙片１２１のサイズ（長辺、短辺の長さ）は一例であり、本考案はこれらの例に限定されない。この実施形態の冊子状付箋１００は、例えば名刺入れ、メモ帳、手帳、バインダー等、携帯して用いるもの（以下、単に「携帯物」と記載することがある。）と、ひとまとめで携帯される用途に適している。したがって、冊子状付箋１００の全体のサイズに影響する紙片１２１のサイズは、これらの手帳や名刺入れ等、一緒に携帯しようとする携帯物のサイズに対応していることが好ましい。しかしながら、これらの携帯物のサイズを考慮していない、明らかに小さい紙片１２１も本考案の範囲に含まれる。
【００２３】
また、紙片１２１のサイズは、携帯物のサイズより大きくても、冊子状付箋１００の外縁が携帯物の外縁より明らかにはみ出てしまう場合や、サイズが明らかに大きい場合以外は本考案の範囲に含まれるものである。携帯物と冊子状付箋１００をひとまとめにすることができればよいためである。ここで、「明らかに大きい」とは、例えば紙片１２１の長辺が、携帯物の長辺の例えば１．５倍以上である場合や、紙片１２１の短辺が、携帯物の短辺の例えば１．５倍以上である場合などである。
【００２４】
また、紙片１２１は長方形に限らず、携帯物の形状に対応させるか、または意匠的な観点から、任意の形状にすることが可能である。
【００２５】
また図２の斜線で示す領域のように、紙片１２１の少なくとも一面の一辺に沿って、接着部Ａが帯状に設けられている。紙片集合体１２０は、当該接着部Ａが同じ向きになるように紙片１２１を複数重ねて構成されている。この接着部Ａの接着剤としては、感圧性接着剤、粘着剤等の比較的接着力の弱いものが用いられる。すなわち、当該接着剤は、付箋紙（紙片１２１）を貼付対象から剥がしたとき、貼付対象を傷つけないように接着力が調整されている。なおかつ当該接着剤は、付箋紙を貼付対象から剥がした後、付箋紙を再び貼付対象に貼ることができるように接着力が調整されている。
【００２６】
なお、紙片１２１の形状を長方形でなく、携帯物に対応した形状、または意匠的な形状とした場合、当該紙片１２１の外縁のうち、任意の縁部に沿って、接着部Ａを帯状に設ける。この場合、紙片集合体１２０において各紙片１２１をめくりやすい部分と対称の位置に接着部Ａを設けることが好ましいが好適である。
【００２７】
また、紙片集合体１２０における最も下側（底部）の紙片１２１には、台紙１１０の支持領域１１１と強固に接着できるような他の接着部を設けてもよい。紙片集合体１２０と台紙１１０とが分離されてしまい、冊子状付箋１００の携帯性を損なう事態を防止するためである。
【００２８】
〈台紙１１０の支持領域１１１〉
次に、図３および図４を参照して冊子状付箋１００の台紙１１０について説明する。図３は、第１実施形態にかかる冊子状付箋１００の台紙１１０を示す概略斜視図である。図４は、第１実施形態にかかる冊子状付箋１００の台紙１１０の他の例を示す概略斜視図である。図１および図３に示すように、台紙１１０は２つに折り曲げられ、当該折り曲げ部分を境に、紙片集合体１２０を保持する支持領域１１１と、携帯物の収納ポケット等に挿入される挿入領域１１２とに分けられる。
【００２９】
図１および図３に示す支持領域１１１は、紙片１２１が長方形である場合の例示であるが、この例では支持領域１１１の面は、そのサイズ（長辺、短辺の長さ）および形状が紙片１２１とほぼ同じであり、紙片１２１の一面とほぼ合同である。ただし、支持領域１１１の面は、少なくとも紙片１２１の接着部Ａが貼り付けられるサイズを有していればよく、必ずしも紙片１２１の一面と合同であることを要しない。
【００３０】
なお、支持領域１１１の面は、少なくとも紙片１２１の接着部Ａの全領域をカバーできるサイズおよび形状であることが好ましい。支持領域１１１には、紙片集合体１２０の最下部の紙片１２１における接着部Ａが面するので、支持領域１１１の面が当該接着部より狭いと、当該接着部にゴミなどが付着してしまうためである。紙片集合体１２０の最下部の紙片１２１における接着部Ａにゴミなどが付着してしまうと、その部分が、支持領域１１１からはがれやすくなる。その結果、紙片集合体１２０と台紙１１０とが分離されやすくなり、冊子状付箋１００の携帯性を損なうおそれがある。
【００３１】
また、図４の斜線で示す領域のように、支持領域１１１における紙片集合体１２０と向かい合う面には接着部を設けてもよい。また、この接着部における接着剤としては、紙片集合体１２０の最下部の紙片１２１と強固に接着できるものを用いてもよい。紙片集合体１２０と台紙１１０とが分離されてしまうと、冊子状付箋１００の携帯性を損なうおそれがあるからである。
【００３２】
〈台紙１１０の挿入領域１１２〉
次に、図１，図３〜図５を参照して、台紙１１０の挿入領域１１２について説明する。図５は、第１実施形態にかかる冊子状付箋１００の側面図である。台紙１１０の挿入領域１１２は、メモ帳、手帳、バインダー等における、カード、名刺、路線図、地図、領収書などを収納するための収納ポケットに挿入することが可能である。
【００３３】
図１および図３等に示すように、台紙１１０の折り曲げ部分を挟んで、支持領域１１１の反対側には挿入領域１１２が設けられている。図５に示すように、挿入領域１１２の折り曲げ方向は、支持領域１１１を基準として、紙片集合体１２０に対して反対側である。言い換えれば、挿入領域１１２と紙片集合体１２０とが、支持領域１１１を挟むように台紙１１０が折り曲げられる。
【００３４】
また、挿入領域１１２は、上述のような携帯物の収納ポケットに挿入されることを考慮して、任意の可撓性およびサイズで構成される。まず挿入領域１１２の可撓性が高いと挿入領域１１２が撓みやすく、曲げやすくなるため、携帯物の収納ポケットに挿入し難くなってしまう。したがって、挿入領域１１２は、少なくとも紙片１２１より可撓性が低くなるように構成される。例えば、挿入領域１１２の材料として紙を用いる場合は、所定の密度で厚くはり合わせた紙を用いることが可能である。また、金属、合成樹脂や木材等の任意の材料を用いることが可能である。
【００３５】
なお冊子状付箋１００の製造コストの観点からは、台紙１１０における支持領域１１１と挿入領域１１２とを別の材料で構成するより、支持領域１１１を挿入領域１１２と同一の材料で構成することが好ましい。
【００３６】
挿入領域１１２を携帯物の収納ポケットに挿入して使用可能であれば、冊子状付箋１００の携帯性の向上を図ることができる。例えば冊子状付箋１００が、一般的な名刺入れに差し挟まれて携帯されることを前提としている場合は、挿入領域１１２を名刺に対応した長方形に形成し、かつそのサイズを次のように構成することが可能である。
【００３７】
１つの例として挿入領域１１２のサイズを、上述した日本の標準的な名刺サイズに対応させることが考えられる。すなわち、挿入領域１１２の長辺を９１ｍｍとし、短辺を５５ｍｍとする。また上述のように、名刺入れの収納ポケットが、名刺のサイズよりも若干大型に形成されていることから、挿入領域１１２のサイズを一般的な名刺よりやや大きく形成することが可能である。
【００３８】
ただし挿入領域１１２は、収納ポケットに挿入できることが好ましいため、収納ポケットに挿入できるサイズに形成されることが好ましい。この観点からは、挿入領域１１２における挿入方向側の辺（図１・図３の紙面上における最下部の辺）の長さは、長くとも名刺入れ等の収納ポケットの開口部の長さよりは若干短く形成される。
【００３９】
また、挿入領域１１２が名刺入れ等の収納ポケットに挿入されることにより、冊子状付箋１００全体が、名刺入れ等とひとまとめに携帯される。この観点からは、冊子状付箋１００と携帯物を一体的に管理することが好ましいので、挿入領域１１２のサイズをなるべく大きくして、収納ポケットから外れにくくするほうがよい。したがってこれらの観点から、挿入領域１１２の長辺および短辺の長さは、上記日本の標準的な名刺のサイズの±５ｍｍ程度に設定することが可能である。すなわち、挿入領域１１２において、長辺を８６ｍｍ乃至９６ｍｍと設定し、かつ短辺を５０ｍｍ乃至６０ｍｍと設定することが可能である。
【００４０】
また、挿入領域１１２の他の例としてそのサイズを、欧米においてよく使用されている名刺サイズ（欧米標準名刺）の名刺入れに対応させることが考えられる。すなわち、長方形の挿入領域１１２の長辺を３．５ｉｎｃｈとし、短辺を２ｉｎｃｈとする。なお、上記日本の標準的な名刺の場合と同様に、冊子状付箋１００の全体を欧米標準の名刺よりやや大きいサイズに形成することが可能である。
【００４１】
ただしこの例においても、挿入領域１１２の収納ポケットへの挿入可能なサイズの観点と、収納ポケットに対する挿入領域１１２の外れにくさの観点から、挿入領域１１２の長辺および短辺の長さは、上記一般的な名刺のサイズの±０．２ｉｎｃｈ程度に設定することが可能である。すなわち、挿入領域１１２において、長辺を３．３ｉｎｃｈ乃至３．７ｉｎｃｈと設定し、かつ短辺を１．８ｉｎｃｈ乃至２．２ｉｎｃｈと設定することが可能である。
【００４２】
なお、上述の挿入領域１１２のサイズ（長辺、短辺の長さ）は一例であり、本考案はこれらの例に限定されない。さらに携帯物の収納ポケットに対する挿入領域１１２の外れにくさが考慮されていることが好ましいが、携帯物の収納ポケットに対する挿入領域１１２の外れにくさが考慮されていないものも本考案の範囲に含まれる。
【００４３】
また、挿入領域１１２は長方形に限らず、携帯物の形状に対応させるか、または意匠的な観点から、任意の形状にすることが可能である。また、挿入領域１１２の少なくともいずれかの面に滑り止め部を設けてもよい。滑り止め部としては、例えば携帯物の収納ポケットの内側の面に対して摩擦係数の高い突起物を設けることが可能である。
【００４４】
また、挿入領域１１２の長さを携帯物の収納ポケットの奥行きと比べて１．５倍以上に形成することも可能である。この場合、挿入領域１１２を当該収納ポケットに挿入するにあたり、挿入領域１１２が折り畳まれて収納ポケット挿入される。これらの構成例は、携帯物の収納ポケットに対する挿入領域１１２の外れにくさの点で有効である。
【００４５】
（使用状態）
次に、冊子状付箋１００の使用状態について図６を参照して説明する。図６は、第１実施形態にかかる冊子状付箋１００が名刺入れに差し挟まれた状態を示す概略斜視図である。
【００４６】
図６に示す例であれば、台紙１１０における挿入領域１１２は、名刺入れの収納ポケットに挿入される。この場合、冊子状付箋１００は、名刺入れとともに一体的に携帯される。また、メモやしおり等が必要になった場合には、名刺入れを取り出し、その名刺入れに差し挟まれた付箋（紙片１２１）を適宜剥がして使用することができる。例えばユーザが名刺交換をした場合や、相手方や打合せた内容等の情報を書込みたい場合など、名刺に直接メモを記入することは、記入スペースやマナーの問題で支障があることもある。この点、本実施形態の冊子状付箋１００を名刺入れに挟んでおけば、このような問題を解消することができる。
【００４７】
なお、名刺入れや手帳のように、携帯物が見開きの状態で使用されることがあるものであれば、台紙１１０の挿入領域１１２を携帯物の内側の収納ポケットに挿入することで、冊子状付箋１００を適切に保管することができる。例えば、名刺入れ等の携帯物を被服のポケットやかばんに入れて携帯する場合であっても、冊子状付箋１００が見開きの内側にあれば、紙片１２１が破けたり、不意に剥がれてしまう事態を回避することができる。
【００４８】
また、冊子状付箋紙１００の挿入領域１１２は、名刺入れ等の携帯物の任意のポケットに挿入される。また、携帯物において、冊子状付箋紙１００の挿入領域１１２を収納するための専用のポケットを設けておいてもよい。
【００４９】
（変形例）
次に、図７を参照して第１実施形態にかかる冊子状付箋１００の変形例について説明する。図７は、第１実施形態の変形例にかかる冊子状付箋１００の側面図である。上述の冊子状付箋１００は、図５に示すように、紙片１２１の接着部が台紙１１０の折り曲げ部分側に設けられていた。しかしながら、この例に限らず、紙片１２１の接着部を、図７に示すように台紙１１０の折り曲げ部分と反対側に設けることも可能である。つまり、紙片１２１において、紙片１２１をめくる側が反対側になる。
【００５０】
（作用効果）
以上説明した本実施形態にかかる冊子状付箋１００の作用および効果について説明する。
【００５１】
本実施形態における冊子状付箋１００における台紙１１０は、付箋紙（紙片集合体１２０）を保持する支持領域１１１部分と、名刺入れ等の携帯物の収納ポケットに挿入される挿入領域１１２部分を有している。したがって冊子状付箋１００を携帯する場合に、挿入領域１１２を携帯物の収納ポケットに挿入しておくことで、携帯物と冊子状付箋１００をひとまとめに携帯することが可能である。その結果、冊子状付箋１００を紛失したり、冊子状付箋１００における紙片集合体１２０がばらばらになってしまう事態を回避し、冊子状付箋１００の携帯性を向上させることが可能である。
【００５２】
さらに見開き携帯物の内側に冊子状付箋１００を差し挟んでおけば、紙片１２１が破けたり、不意に剥がれてしまう事態を回避することができる。
【００５３】
［第２実施形態］
次に、図８〜図１１を参照して第２実施形態にかかる冊子状付箋２００について説明する。第２実施形態においては、第１実施形態と比較して紙片の構成が異なる。その他の部分は第１実施形態にかかる冊子状付箋１００と同様である。以下、これらの相違点について説明する。図８は、第２実施形態にかかる冊子状付箋２００を示す概略斜視図である。図９は、第２実施形態にかかる冊子状付箋２００の他の例を示す概略斜視図である。図１０は第２実施形態にかかる冊子状付箋２００の他の例を示す概略平面図である。
【００５４】
図８に示すように、第２実施形態にかかる冊子状付箋２００は、紙片集合体２２０における１枚１枚の紙片２２９にミシン目が設けられている。紙片２２９は、このミシン目にしたがって複数に切り離されることが可能である。以下、この１枚の紙片２２９が切り離され、分割された後の紙片を「分割紙片」と記載する。
【００５５】
第２実施形態も第１実施形態と同様に紙片２２９の少なくとも一面の一辺に沿って接着部が設けられている（不図示）。紙片２２９におけるミシン目は、当該一辺から対辺に向かって、対辺まで至るように設けられる。また、ミシン目は、紙片２２９の当該接着部と直交するように設けられる。このように構成することにより、紙片２２９を紙片集合体２２０から１枚ずつ剥がすだけでなく、分割紙片２２１と分割紙片２２２とを切り離して、いずれか一方のみを付箋紙として利用し、他方を紙片集合体２２０に残しておくことが可能である。なお、ミシン目は図８、図９に示すように所定間隔でなくてもよく、また直線状でなくてもよい。また、接着部と直交しなくてもよい。
【００５６】
第２実施形態の他の例を説明する。図９および図１０に示すように、紙片２２９におけるミシン目は１つに限らず複数設けてもよい。これらの例では、紙片２２９は最大６つの分割紙片２２１〜分割紙片２２６に切り離すことが可能である。図９の例の他、２つのミシン目により３分割が可能な場合、４つのミシン目により５分割が可能な場合等、紙片２２９のミシン目による最大の分割数は任意である。
【００５７】
次に図１１および図１２を参照して、紙片２２９のミシン目について説明する。図１１は、図１０の概略拡大Ａ−Ａ’断面図である。図１１は、図１０の概略拡大Ｂ−Ｂ’断面図である。紙片２２９のミシン目は、図１１に示すように紙片２２９を貫通している貫通部分と、図１２に示すように貫通部分以外の連結部分とが交互に断続して一直線上にあわわれる。
【００５８】
なお、紙片２２９において分割紙片２２１等を分割する切り離し部分は、ミシン目に限らず、薄肉化することも可能である。
【００５９】
（使用状態および作用・効果）
次に、冊子状付箋２００の使用状態について図１３および図１４を参照して説明する。図１３は、第２実施形態にかかる冊子状付箋２００の他の例を示す概略斜視図である。図１４は、第２実施形態にかかる冊子状付箋２００が名刺入れに差し挟まれた状態を示す概略斜視図である。
【００６０】
図１３は、図９の冊子状付箋２００を各ミシン目で切り離さず、３つの分割紙片２２１〜分割紙片２２３をひとまとめにして切り離し、分割紙片２２１〜分割紙片２２３の群と、分割紙片２２４〜分割紙片２２６の群の２つに切り離した状況を示している。この図に示すように、冊子状付箋２００は、ユーザが利用したい任意の数の分割紙片をひとまとめにして切り離すことができる。したがって、ユーザが書込みたいメモの量や、差し込みたいしおりの大きさに応じて、付箋紙（分割紙片）のサイズを段階的に変更することが可能である。結果、付箋紙の種類を複数携帯しなくても、所望のサイズに対応した付箋紙を切り離すことができ、付箋紙の携帯性が第１実施形態と比べてさらに向上させることが可能である。
【００６１】
また、第２実施形態にかかる冊子状付箋２００においても、図１４に示す例であれば、台紙２１０における挿入領域２１２は、名刺入れの収納ポケットに挿入される。この場合、冊子状付箋２００は、名刺入れとともに一体的に携帯される。また、メモやしおり等が必要になった場合には、名刺入れを取り出し、その名刺入れに差し挟まれた付箋（紙片２２１）を適宜剥がして使用することができる。なお、携帯物が見開きの状態で使用されることがあるものであれば、台紙２１０の挿入領域２１２を携帯物の内側の収納ポケットに挿入することで、冊子状付箋２００を適切に保管することができる。例えば、名刺入れ等の携帯物を被服のポケットやかばんに入れて携帯する場合であっても、冊子状付箋１００が見開きの内側にあれば、紙片２２１が不意に破けたり、不意に剥がれてしまう事態を回避することができる。
【００６２】
以上、述べたように、本考案にかかる実施携帯では、付箋紙を携帯物ともに携帯させるなどにより、付箋紙の携帯性や利便性の向上が図られている。
【符号の説明】
【００６３】
１００、２００  冊子状付箋
１１０、２１０  台紙
１１１、２１１  支持領域
１１２、２１２  挿入領域
１２０、２２０  紙片集合体
１２１、２２９  紙片
２２１〜２２６  分割紙片
【図１】
0003170652.tif 000003
【図２】
0003170652.tif 000004
【図３】
0003170652.tif 000005
【図４】
0003170652.tif 000006
【図５】
0003170652.tif 000007
【図６】
0003170652.tif 000008
【図７】
0003170652.tif 000009
【図８】
0003170652.tif 000010
【図９】
0003170652.tif 000011
【図１０】
0003170652.tif 000012
【図１１】
0003170652.tif 000013
【図１２】
0003170652.tif 000014
【図１３】
0003170652.tif 000015
【図１４】
0003170652.tif 000016